(57)【要約】【課題】本発明は、内蔵物を覆い隠す蓋を筐体に固定している固定具を視覚的に遮ることで、内蔵物の盗難防止効果をより高めることができる機器を得ることにある。【解決手段】機器は、ロック装置(25)の鉤(29)が挿入されるスロット(24)と、内蔵物(10)を出し入れする開口部(9)とを有する筐体(4)を備えている。開口部(9)を覆う蓋(13)は、固定具(15)を介して筐体(4)に固定されている。固定具(15)は、筐体(4)の外に露出される頭部(15a)を有する。固定具(15)の頭部(15a)を覆い隠す第１の位置と、固定具(15)の頭部(15a)から離れる第２の位置との間で移動可能なカバー部材(33)が筐体(4)内に支持されている。カバー部材(33)は、スロット(24)に挿入された鉤(29)を筐体(4)に係止させる方向に回動させた時に、鉤(29)の回動に追従して第１の位置に移動し、かつロック(25)装置を介して第１の位置に保持される。【選択図】図４
2010271864.tif 000002
【特許請求の範囲】
【請求項１】
盗難防止用ロック装置の鉤が挿入されるスロットと、内蔵物を出し入れするための開口部と、を有する筐体と、
上記筐体の開口部を塞ぐとともに、上記開口部から上記筐体内に収容された上記内蔵物を覆う蓋と、
上記蓋を上記筐体に取り外し可能に固定するとともに、上記筐体の外に露出される頭部を有する固定具と、
上記筐体内に支持され、上記固定具の頭部を上記筐体の外から覆い隠す第１の位置と、上記固定具の頭部から離れる第２の位置との間で移動可能なカバー部材と、を含み、
上記スロットに挿入された上記ロック装置の鉤を回動させて上記筐体に係止させることにより、上記ロック装置を用いて上記筐体の盗難を防止するようにした機器であって、
上記カバー部材は、上記筐体のスロットに挿入された上記鉤を上記筐体に係止させる方向に回動させた時に、上記鉤の回動に追従して第１の位置に移動されるとともに、上記ロック装置を介して上記第１の位置に保持されることを特徴とする機器。
【請求項２】
請求項１の記載において、上記カバー部材は、上記ロック装置の鉤が取り外し可能に嵌合する鉤孔を有することを特徴とする機器。
【請求項３】
請求項２の記載において、上記カバー部材の鉤孔は、上記カバー部材が上記第２の位置に移動された時に、上記スロットと合致することを特徴とする機器。
【請求項４】
請求項３の記載において、上記カバー部材は、上記第１の位置と上記第２の位置との間で回動可能に上記筐体に支持されているとともに、常に第２の位置に向けて弾性的に付勢されていることを特徴とする機器。
【請求項５】
請求項４の記載において、上記開口部を規定する上記筐体の縁と上記蓋との間に、上記カバー部材の通過を許容する隙間が形成されていることを特徴とする機器。
【請求項６】
請求項５の記載において、上記固定具は、複数のねじを含み、上記カバー部材は、上記第１の位置に保持された時に、少なくとも一つのねじの頭部を覆い隠すことを特徴とする機器。
【請求項７】
請求項１の記載において、上記内蔵物は、記憶媒体であることを特徴とする機器。
【請求項８】
盗難防止用ロック装置の鉤が挿入されるスロットを有する筐体と、
上記筐体内に収容された内蔵物と、を含み、
上記スロットに挿入された上記ロック装置の鉤を回動させて上記筐体に係止させることで、上記筐体の盗難を防止するようにした機器であって、
上記筐体は、
第１の筐体要素と、
上記第１の筐体要素に組み合わされる第２の筐体要素と、
上記第１の筐体要素と上記第２の筐体要素とを互いに結合するとともに、上記筐体の外に露出される頭部を有する固定具と、
上記固定具の頭部を上記筐体の外から覆い隠す第１の位置と、上記固定具の頭部から離れる第２の位置との間で移動可能なカバー部材と、を含み、
上記カバー部材は、上記筐体のスロットに挿入された上記鉤を上記筐体に係止させる方向に回動させた時に、上記鉤の回動に追従して上記第１の位置に移動されるとともに、上記ロック装置を介して上記第１の位置に保持されることを特徴とする機器。
【請求項９】
請求項８の記載において、上記カバー部材は、上記筐体内に収容されているとともに、上記ロック装置の鉤が取り外し可能に嵌合する鉤孔を有することを特徴とする機器。
【請求項１０】
請求項９の記載において、上記カバー部材の鉤孔は、上記カバー部材が上記第２の位置に移動された時に、上記スロットと合致することを特徴とする機器。
【請求項１１】
請求項１０の記載において、上記カバー部材は、上記第１の位置と上記第２の位置との間で回動可能に上記筐体に支持されているとともに、常に第２の位置に向けて弾性的に付勢されていることを特徴とする機器。
【請求項１２】
請求項１１の記載において、上記固定具は、複数のねじを含み、上記カバー部材は、上記第１の位置に保持された時に、少なくとも一つのねじの頭部を覆い隠すことを特徴とする機器。
【請求項１３】
盗難防止用ロック装置の鉤が挿入されるスロットと、内蔵物を出し入れするための開口部と、を有する筐体と、
上記筐体の開口部を塞ぐとともに、上記開口部から上記筐体内に収容された上記内蔵物を覆う蓋と、
上記蓋を上記筐体の外から上記筐体に取り外し可能に固定するとともに、上記筐体の外に露出される頭部を有する固定具と、
上記固定具の頭部を上記筐体の外から覆い隠す第１の位置と、上記固定具の頭部から離れる第２の位置との間で回動可能に上記筐体に支持されたカバー部材と、を備えている機器の盗難を防止する方法であって、
上記内蔵物を上記開口部から上記筐体の内部に収容し、
上記開口部を上記蓋で塞ぐことにより、上記内蔵物を上記筐体の外から上記蓋で覆うとともに、上記蓋を上記固定具により上記筐体に固定し、
上記筐体のスロットに上記ロック装置の鉤を挿入して回動させることにより、上記ロック装置を上記筐体に接続して上記筐体の盗難を防止し、
さらに、上記カバー部材を上記鉤の回動に追従して上記第２の位置から上記第１の位置に回動させるとともに、上記ロック装置を介して上記カバー部材を第１の位置に保持することを特徴とする盗難防止方法。
【請求項１４】
請求項１３の記載において、上記カバー部材は、常に第２の位置に向けて弾性的に付勢されているとともに、この第２の位置では、上記カバー部材に形成した鉤孔が上記スロットと合致してこの鉤孔に上記ロック装置の鉤が取り外し可能に嵌合することを特徴とする盗難防止方法。
【発明の詳細な説明】
【技術分野】
【０００１】
本発明は、例えば筐体の内部に収容されたメモリーカードやハードディスク駆動装置のような内蔵物の盗難を防止するための構造を有する機器に関する。さらに本発明は、筐体内に収容された内蔵物の盗難を防止するための方法に関する。
【背景技術】
【０００２】
電子機器の一例であるポータブルコンピュータは、その外郭となる筐体の内部にメモリーカードやハードディスク駆動装置のような記憶媒体を収容している。記憶媒体は、例えば筐体の底壁に開けた開口部から筐体の内部に取り出し可能に収容されている。
【０００３】
筐体の開口部は、記憶媒体を筐体内に収容した後、蓋により塞がれている。蓋は、記憶媒体を覆い隠すとともに、複数のねじを介して筐体に取り外し可能に固定されている。
【０００４】
一方、この種のポータブルコンピュータは、セキュリティロック用のスロットを有している。スロットは、いわゆるケンジントンロック又はセキュリティケーブルと称する盗難防止用のロック装置を接続するためのものであって、上記筐体の側壁に形成されている。
【０００５】
ロック装置は、強靭なワイヤーと、このワイヤーの一端に固定されたロックシリンダとを備えている。ロックシリンダは、筐体のスロットに挿入可能な鉤を有している。鉤は、ロックシリンダのロックキーを介してスロットと直交し合うロック位置に回動可能であり、これにより鉤が筐体の側壁に引っ掛かるようになっている。
【０００６】
そのため、ワイヤーを例えばオフィスの机のような固定物に巻き付けた後に、ロックシリンダの鉤を筐体のスロットに挿入してロック位置に回動させることで、ポータブルコンピュータと筐体との間をワイヤーで繋ぎ止めておくことができる。よって、ポータブルコンピュータの自由な移動や持ち出しが制限され、ポータブルコンピュータの盗難を防止することができる。
【０００７】
このようなロック装置は、ポータブルコンピュータの盗難を防止する点では極めて有効であるものの、筐体内に収容された記憶媒体が盗難に遭うのを防ぐことができない。
【０００８】
すなわち、記憶媒体は、筐体の開口部を塞いでいる蓋を取り外しさえすれば、何人でも開口部から筐体の外に取り出すことができる。そのため、ロック装置を用いたとしても、筐体内の記憶媒体については盗難の可能性を否定することができなくなる。
【０００９】
特許文献１は、ケンジントンロックのようなロック装置を用いて記憶装置やバッテリ等の部品の取り外しを禁止するようにした電子機器を開示している。この従来の電子機器では、筐体の内部にスライド部材が配置されている。スライド部材は、上記部品から離脱する第１の位置と、上記部品と重なり合う第２の位置との間でスライド可能に筐体に支持されている。
【００１０】
スライド部材が第２の位置にスライドされている時に、筐体の側壁に上記ロック装置を接続すると、このロック装置の鉤がスライド部材に引っ掛かる。これにより、スライド部材が第２の位置に保持され、スライド部材のスライドが禁止される。
【００１１】
この結果、スライド部材が上記部品の自由な取り外しを制限することになり、電子機器の盗難を防止するためのロック装置を利用して筐体内の部品の盗難を防止することができる。
【先行技術文献】
【特許文献】
【００１２】
【特許文献１】特開平９−１７７４０２号公報
【発明の概要】
【発明が解決しようとする課題】
【００１３】
筐体内の部品の盗難防止効果を高めるためには、筐体内の部品がどの箇所でロックされているのか見分けがつかないようにすることが望ましいものとなる。
【００１４】
ところが、特許文献１によると、スライド部材が部品と重なり合う箇所が筐体の上面に露出されているため、部品がロックされている箇所が一目瞭然となる。そのため、第三者が筐体内の部品を故意に盗もうとする時に、部品の盗難を簡単に行えるといった心証を得易くなり、部品の盗難を防止する上での信頼性が低くなる。
【００１５】
本発明の目的は、内蔵物を覆い隠す蓋を筐体に固定している固定具を視覚的に遮ることができ、内蔵物の盗難防止効果を高めることができる機器を得ることにある。
【００１６】
本発明の他の目的は、第１の筐体要素と第２の筐体要素を固定している固定具を視覚的に遮ることができ、筐体の故意の分解を妨げて内蔵物の盗難防止効果を高めることができる機器を得ることにある。
【００１７】
本発明の他の目的は、内蔵物を覆い隠す蓋を筐体に固定している固定具を視覚的に遮ることで、内蔵物の盗難防止効果を高めることができる方法を得ることにある。
【課題を解決するための手段】
【００１８】
上記目的を達成するため、本発明の一つの形態に係る盗難防止構造を有する機器は、  
盗難防止用ロック装置の鉤が挿入されるスロットと、内蔵物を出し入れするための開口部と、を有する筐体と、  
上記筐体の開口部を塞ぐとともに、上記開口部から上記筐体内に収容された上記内蔵物を覆う蓋と、  
上記蓋を上記筐体に取り外し可能に固定するとともに、上記筐体の外に露出される頭部を有する固定具と、  
上記筐体内に支持され、上記固定具の頭部を上記筐体の外から覆い隠す第１の位置と、上記固定具の頭部から離れる第２の位置との間で移動可能なカバー部材と、を備えている。  
上記ロック装置は、上記スロットに挿入された上記鉤を回動させて上記筐体に係止させることで上記筐体の盗難を防止する。上記カバー部材は、上記スロットに挿入された上記鉤を上記筐体に係止させる方向に回動させた時に、上記鉤の回動に追従して上記第１の位置に移動されるとともに、上記ロック装置を介して上記第１の位置に保持されることを特徴としている。
【００１９】
上記目的を達成するため、本発明の他の形態に係る盗難防止構造を有する機器は、  
盗難防止用ロック装置の鉤が挿入されるスロットが形成された筐体と、この筐体内に収容された内蔵物と、を備えている。上記筐体は、(1)第１の筐体要素と、(2)上記第１の筐体要素に組み合わされる第２の筐体要素と、(3)上記第１の筐体要素と上記第２の筐体要素とを互いに結合するとともに、上記筐体の外に露出される頭部を有する固定具と、(4)上記固定具の頭部を上記筐体の外から覆い隠す第１の位置と、上記固定具の頭部から離れる第２の位置との間で移動可能なカバー部材と、を含んでいる。  
上記ロック装置は、上記スロットに挿入された上記ロック装置の鉤を回動させて上記筐体に係止させることで、上記筐体の盗難を防止する。上記カバー部材は、上記筐体のスロットに挿入された上記鉤を上記筐体に係止させる方向に回動させた時に、上記鉤の回動に追従して上記第１の位置に移動されるとともに、上記ロック装置を介して上記第１の位置に保持されることを特徴している。
【００２０】
上記目的を達成するため、本発明の一つの形態に係る盗難防止方法は、  
盗難防止用ロック装置の鉤が挿入されるスロットと、内蔵物を出し入れするための開口部と、を有する筐体と、  
上記筐体の開口部を塞ぐとともに、上記開口部から上記筐体内に収容された上記内蔵物を覆う蓋と、  
上記蓋を上記筐体の外から上記筐体に取り外し可能に固定するとともに、上記筐体の外に露出される頭部を有する固定具と、  
上記固定具の頭部を上記筐体の外から覆い隠す第１の位置と、上記固定具の頭部から離れる第２の位置との間で回動可能に上記筐体に支持されたカバー部材と、を備えている機器に適用される。  
本発明の盗難防止方法では、  
上記内蔵物を上記開口部から上記筐体の内部に収容した後、上記開口部を上記蓋で塞ぐことにより、上記内蔵物を上記筐体の外から上記蓋で覆うとともに、上記蓋を上記固定具により上記筐体に固定し、  
次に、上記筐体のスロットに上記ロック装置の鉤を挿入して回動させることにより、上記ロック装置を用いて上記筐体の盗難を防止し、  
次に、上記筐体に支持されたカバー部材を上記鉤の回動に追従して上記第２の位置から上記第１の位置に回動させるとともに、上記ロック装置を介して上記第１の位置に保持するようにしたことを特徴としている。
【発明の効果】
【００２１】
本発明によれば、内蔵物を覆い隠す蓋を筐体に固定している固定具又は第１の筐体要素と第２の筐体要素とを結合している固定具が筐体の外から見えないように視覚的に遮蔽することができる。そのため、筐体から蓋を簡単に取り外したり、あるいは筐体を簡単に分解することができなくなり、筐体内に収容された内蔵物の盗難防止効果をより高めることができる。
【図面の簡単な説明】
【００２２】
【図１】本発明の第１の実施の形態に係るポータブルコンピュータの斜視図。
【図２】本発明の第１の実施の形態において、ポータブルコンピュータの盗難を防止する際に使用するロック装置の斜視図。
【図３】本発明の第１の実施の形態において、筐体の底壁とメモリ蓋との位置関係を示すポータブルコンピュータの底面図。
【図４】本発明の第１の実施の形態において、メモリ蓋を筐体に固定している二本のねじをカバー部材のブラインド部で覆い隠した状態を示すポータブルコンピュータの底面図。
【図５】本発明の第１の実施の形態において、ロック装置の鉤を筐体のスロットからカバー部材の鉤孔に嵌め込んだ状態を示す断面図。
【図６】図５のF6-F6線に沿う断面図。
【図７】本発明の第１の実施の形態において、ロック装置の鉤をロック位置に回動させてカバー部材を第１の位置に保持した状態を示す断面図。
【図８】図７のF8-F8線に沿う断面図。
【図９】本発明の第１の実施の形態において、カバー部材のブラインド部でねじの頭部を覆い隠した状態を示す断面図。
【図１０】本発明の第１の実施の形態において、カバー部材が第１位置と第２の位置との間の中間に回動された状態を示す断面図。
【図１１】本発明の第１の実施の形態において、カバー部材が第２の位置に回動されて、ねじの頭部が筐体の外に露出された状態を示す断面図。
【図１２】本発明の第２の実施の形態において、底蓋を筐体に固定している二本のねじをカバー部材のブラインド部で覆い隠した状態を示すポータブルコンピュータの底面図。
【図１３】本発明の第３の実施の形態において、第１の筐体要素と第２の筐体要素とを結合するねじの頭部をカバー部材のブラインド部で覆い隠した状態を示す筐体の断面図。
【発明を実施するための形態】
【００２３】
以下本発明の第１の実施の形態を図１ないし図１１に基づいて説明する。
【００２４】
図１は、電子機器の一例であるポータブルコンピュータ１を開示している。ポータブルコンピュータ１は、コンピュータ本体２とディスプレイモジュール３とで構成されている。
【００２５】
コンピュータ本体２は、筐体４を備えている。筐体４は、底壁４ａ、上壁４ｂおよび左右の側壁４ｃ，４ｄを有する偏平な箱状をなしている。筐体４は、底壁４ａを含む第１の筐体要素５と、上壁４ｂを含む第２の筐体要素６とに分割されている。第１の筐体要素５および第２の筐体要素６は、互いに組み合わされるとともに、図３に示す複数のねじ７を介して分離可能に結合されている。
【００２６】
筐体４の上壁４ｂは、キーボード８を支持している。さらに、筐体４の底壁４ａは、図３および図４に示すような四角い開口部９を有している。開口部９は、筐体４の右側の側壁４ｄに隣り合うとともに、キーボード８の下方に位置している。開口部９は、筐体４の内部にメモリーカード１０を出し入れするためのものである。メモリーカード１０は、内蔵物の一例であって、筐体４の内部に形成されたカード収容部１１に取り出し可能に収容されている。
【００２７】
図３、図４および図９に示すように、筐体４の開口部９は、四つの角部を有している。開口部９の各角部にボス部１２が配置されている。ボス部１２は、第１の筐体要素５に一体に形成されている。
【００２８】
筐体４の開口部９は、取り外し可能なメモリ蓋１３によって塞がれている。メモリ蓋１３は、四角い板状をなすとともに、その四隅部が夫々ねじ１５を介してボス部１２の下端面に固定されている。この固定により、カード収容部１１に収容されたメモリーカード１０がメモリ蓋１３によって覆い隠されている。
【００２９】
ねじ１５は、固定具の一例であって、筐体４の底の方向からボス部１２にねじ込まれている。ねじ１５は、例えばドライバのような工具が嵌合する頭部１５ａを有している。頭部１５ａは、メモリ蓋１３の下面に重なり合って、筐体４の底から筐体４の外に露出している。
【００３０】
図３、図４および図９に示すように、メモリ蓋１３の後端部に段差部１７が形成されている。段差部１７は、筐体４の内方に入り込むように屈曲されている。段差部１７は、筐体４の底壁４ａと平行なフランジ部１８を有し、このフランジ部１８の左端部および右端部がねじ１５を介してボス部１２の下端面に固定されている。
【００３１】
メモリ蓋１３のフランジ部１８は、底壁４ａよりも筐体４の内方に入り込んでいる。開口部９を規定する底壁４ａの縁とフランジ部１８の先端縁との間に、筐体４の厚み方向に沿う隙間Ｇが形成されている。隙間Ｇは、筐体４の内部に開口するように開口部９の全幅に亘って延びている。
【００３２】
図１に示すように、ディスプレイモジュール３は、ディスプレイ筐体２０と、このディスプレイ筐体２０に収容された液晶ディスプレイパネル２１とを備えている。
【００３３】
ディスプレイ筐体２０は、コンピュータ本体２と略同じ大きさを有する偏平な箱状をなしている。液晶ディスプレイパネル２１は、画像情報や文字情報を表示するスクリーン２１ａを有している。スクリーン２１ａは、ディスプレイ筐体２０の前面からディスプレイ筐体２０の外に露出している。
【００３４】
ディスプレイモジュール３は、コンピュータ本体２の後端部に図示しないヒンジを介して支持されている。そのため、ディスプレイモジュール３は、キーボード８を覆うようにコンピュータ本体２の上に横たわる閉じ位置と、キーボード８およびスクリーン２１ａを露出させるようにコンピュータ本体２の後端部から起立する開き位置との間で回動可能となっている。
【００３５】
図１に示すように、コンピュータ本体２は、セキュリティロック用のスロット２４を有している。スロット２４は、開口部９の後端部に隣接するように、筐体４の右側の側壁４ｄの後部に形成されている。スロット２４は、ポータブルコンピュータ１の盗難防止に役立つロック装置２５を接続するためのものであって、例えば筐体４の奥行き方向に延びる細長い開口形状を有している。
【００３６】
図２に最もよく示されるように、ロック装置２５は、破壊工作に耐え得る強靭な金属製ケーブル２６と、このケーブル２６の一端に固定されたロックシリンダ２７とを備えている。
【００３７】
図５に示すように、ロックシリンダ２７は、スロット２４に挿入可能な軸部２８を有している。軸部２８の先端にＴ形の鉤２９が形成されている。鉤２９は、スロット２４にきっちりと嵌まり込むような形状を有している。軸部２８は、図５に示すロック解除位置と、図７に示すロック位置との間で９０°回動可能となっている。
【００３８】
図５に示すロック解除位置では、鉤２９がスロット２４の長手方向に延びている。図７に示すロック位置では、鉤２９がスロット２４の長手方向と直交する方向に延びている。鉤２９を含む軸部２８の回動は、ロックシリンダ２７に差し込まれたロックキー３０を手で操作することにより行われる。
【００３９】
そのため、ロックシリンダ２７の軸部２８を筐体４のスロット２４に挿入した後、ロックキー３０を介して軸部２８をロック解除位置からロック位置に回動させると、鉤２９がスロット２４と直交する向きとなって筐体４の側壁４ｄの内面に係止する。これにより、ケーブル２６の一端がロックシリンダ２７を介して筐体４に接続される。
【００４０】
したがって、ケーブル２６を例えばオフィスの机のような固定物に巻き付けた後、上記のような手順でケーブル２６の一端を筐体４に接続することで、ポータブルコンピュータ１を固定物に繋ぎ止めておくことができる。
【００４１】
この結果、ポータブルコンピュータ１の自由な移動や持ち出しが制限され、ポータブルコンピュータ１の盗難を防止することができる。
【００４２】
図３ないし図５に示すように、筐体４の内部に鉤２９の回動に追従して動くカバー部材３３が収容されている。カバー部材３３は、第１および第２の支持部３４ａ，３４ｂとブラインド部３５とを備えている。
【００４３】
第１および第２の支持部３４ａ，３４ｂは、開口部９を間に挟んで筐体４の幅方向に互いに離れている。第１の支持部３４ａは、円形の外周面を有する円盤状をなしている。第１の支持部３４ａは、右側の側壁４ｃの内面から突出する円筒状の軸受部３６の内側に軸回り方向に摺動可能に嵌合されている。
【００４４】
さらに、鉤孔３７が第１の支持部３４ａに形成されている。鉤孔３７は、上記ロック装置２５の鉤２９が取り外し可能に嵌合されるものであり、細長い開口形状を有している。
【００４５】
第２の支持部３４ｂは、側壁４ｃと向かい合うようなフラットな板状をなしている。第２の支持部３４ｂは、筐体４の底壁４ａから突出する軸受壁３８に枢軸３９を介して回動可能に支持されている。枢軸３９および軸受部３６は、筐体４の幅方向に沿う水平な同一の軸線Ｏ１上に位置している。
【００４６】
ブラインド部３５は、第１の支持部３４ａの外周面と第２の支持部３４ｂの一端との間に跨っている。ブラインド部３５は、所定の幅寸法Ｗを有する細長い板状であり、第１および第２の支持部３４ａ，３４ｂと一体化されている。本実施の形態では、ブラインド部３５の幅寸法Ｗは、メモリ蓋１３を固定するねじ１５の頭部１５ａの直径よりも大きい。
【００４７】
このようなカバー部材３３は、第１の位置と第２の位置との間で９０°回動可能となっている。図７および図９は、カバー部材３３が第１の位置に回動された状態を開示している。第１の位置では、ブラインド部３５がメモリ蓋１３の段差部１７の下方に進出して、メモリ蓋１３を筐体４に固定しているねじ１５の頭部１５ａを筐体４の底壁４ａの外から覆い隠している。
【００４８】
さらに、第１の位置では、第１の支持部３４ａの鉤孔３７が筐体４のスロット２４と直交するように起立している。
【００４９】
図５および図１１は、カバー部材３３が第２の位置に回動された状態を開示している。第２の位置では、ブラインド部３５がメモリ蓋１３の背後に回り込むように、メモリ蓋１３の段差部１７の下方から退いている。これにより、ブラインド部３５がねじ１５の頭部１５ａから外れるとともに、ねじ１５の頭部１５ａが筐体４の外に露出している。
【００５０】
さらに、第２の位置では、第１の支持部３４ａの鉤孔３７が筐体４のスロット２４と合致するように、筐体４の奥行き方向に沿って延びている。
【００５１】
加えて、本実施の形態では、カバー部材３３は、図示しないスプリングを介して常に第２の位置に向けて弾性的に付勢されている。このため、スロット２４にロック装置２５が接続されていない限り、カバー部材３３は第２の位置に保持されて、その鉤孔３７の向きとスロット２４の向きとが互いに合致している。
【００５２】
したがって、図５に示すように、ロック装置２５の鉤２９は、鉤２９がロック解除位置に回動されている状態において、筐体４のスロット２４からカバー部材３３の鉤孔３７に嵌合される。鉤２９をロック解除位置からロック位置に回動させると、この鉤２９の動きに追従するようにカバー部材３３がスプリングの付勢力に抗して第２の位置から第１の位置に向けて回動される。
【００５３】
カバー部材３３が第２の位置から第１の位置に向けて回動する過程において、カバー部材３３のブラインド部３５は、図１０に示すように、筐体４の底壁４ａとメモリ蓋１３のフランジ部１８との間の隙間Ｇを通ってフランジ部１８の下方に進出する。
【００５４】
次に、ロック装置２５を用いて筐体４内のメモリーカード１０の盗難を防止する手順について説明する。
【００５５】
筐体４のスロット２４にロック装置２５を接続する以前の状態では、筐体４内のカバー部材３３は、スプリングの付勢力により第２の位置に保持されている。そのため、メモリ蓋１３を筐体４に固定している全てのねじ１５の頭部１５ａが筐体４の外に露出している。したがって、ねじ１５を弛めることでメモリ蓋１３を筐体４から取り外すことができ、メモリーカード８の取り外し、交換および増設を実行できる。
【００５６】
図５に示すように、ロック装置２５の鉤２９をスロット２４に挿入すると、鉤２９はスロット２４を通過してカバー部材３３の鉤孔３７に嵌合する。この状態で、ロックキー３０を手で操作して鉤２９をロック解除位置からロック位置に向けて９０°回動させる。この回動により、鉤２９がスロット２４と直交するように起立して、側壁４ｄの内面に係止する。この結果、ロック装置２５が筐体４に取り外し不能に接続される。
【００５７】
鉤２９がロック解除位置からロック位置に回動されると、この鉤２９の動きに追従してカバー部材３３が第２の位置から第１の位置に向けて９０°回動するとともに、ロック装置２５を介して第１の位置に保持される。
【００５８】
カバー部材３３が第１の位置に達した時点で、カバー部材３３のブラインド部３５が隙間Ｇを通過してメモリ蓋１３の段差部１７に進出する。これにより、図４に最もよく示されるように、メモリ蓋１３の後部を押さえている二本のねじ１５の頭部１５ａがブラインド部３５によって筐体４の外から覆い隠され、これら二本のねじ１５を弛めることができなくなる。
【００５９】
よって、メモリ蓋１３を筐体４から取り外すことができなくなり、メモリーカード１０の盗難を防止することができる。
【００６０】
このような本発明の第１の実施の形態によれば、ポータブルコンピュータ１のスロット２４にロック装置２５を接続した状態では、カバー部材３３が第２の位置から第１の位置に進出するように回動し、そのブラインド部３５でメモリ蓋１３の後部を押さえている二本のねじ１５の頭部１５ａを視覚的に遮蔽する。
【００６１】
そのため、ねじ１５の頭部１５ａが筐体４の外から見えなくなり、第三者がメモリ蓋１３を取り外そうとしても、一見しただけではメモリ蓋１３がどのようにして筐体４に固定されているのか見分けがつかなくなる。
【００６２】
したがって、メモリーカード１０を盗もうとする第三者に対し、メモリ蓋１３の取り外しが容易でないといった心証を与えて、メモリーカード１０を盗もうとする気力を喪失させることができる。
【００６３】
この結果、ポータブルコンピュータ１の盗難を防止するためのロック装置２５を利用して、筐体４内に収容されたメモリーカード１０の盗難防止効果をより一層高めることができる。
【００６４】
さらに、上記構成によると、メモリ蓋１３の後部を押さえる二本のねじ１５が外から見えなくなるので、筐体４を反転させた時のポータブルコンピュータ１の体裁が良好となるといった利点もある。
【００６５】
なお、第三者がカバー部材３３のブラインド部３５を破壊するようなことがあると、ねじ１５の頭部１５ａが露出されてしまい、盗難防止効果が失われてしまう。そのため、カバー部材３３は、例えば破壊工作に耐え得るような強靭な金属製とすることが望ましい。
【００６６】
本発明は上記第１の実施の形態に特定されるものではなく、発明の趣旨を逸脱しない範囲内で種々変形して実施可能である。
【００６７】
図１２は、本発明の第２の実施の形態を開示している。
【００６８】
この第２の実施の形態は、筐体４の内部に収容したハードディスク駆動装置４１を底蓋４２で覆うようにした点が第１の実施の形態と相違しており、これ以外の構成は、第１の実施の形態と同様である。
【００６９】
そのため、第２の実施の形態において、第１の実施の形態と同一の構成部分には同一の参照符号を付して、その説明を省略する。
【００７０】
図１２に示すように、筐体４の底壁４ａにハードディスク駆動装置４１を出し入れするための四角い開口部４３が形成されている。開口部４３の後部に一対のボス部４４が配置されている。ボス部４４は、筐体４の幅方向に互いに離れているとともに、筐体４の第１の筐体要素５に一体に形成されている。
【００７１】
底蓋４２は、筐体４の開口部４３を取り外し可能に塞いでいる。底蓋４２の前端縁に一対の係止片４５が形成されている。係止片４５は、底蓋４２の前端縁から前方に突出するとともに、底蓋４２の幅方向に互いに離れている。
【００７２】
さらに、底蓋４２の後端部に筐体４内に入り込むように屈曲された段差部４６が形成されている。段差部４６は、ボス部４４の下端面に突き合わされるとともに、これらボス部４４にねじ１５を介して固定されている。ねじ１５の頭部１５ａは、段差部４５の下面に重ねられている。
【００７３】
そのため、底蓋４２は、その係止片４５を開口部４３の前縁部に引っ掛けるとともに、段差部４６をねじ１５を介してボス部４４に固定することで開口部４３を塞いでいる。
【００７４】
筐体４内に収容されたカバー部材３３は、上記第１の実施の形態と同様に、ロック装置２５を筐体４に接続した後、ロック装置２５の鉤２９をロック位置に回動させることで、第２の位置から第１の位置に回動する。この回動により、カバー部材３３のブラインド部３５が筐体４の内部から底蓋４２の段差部４６の下方に進出し、ねじ１５の頭部１５を覆い隠す。
【００７５】
このような第２の実施の形態によると、カバー部材３３のブラインド部３５が底蓋４２の後部を押さえている二本のねじ１５の頭部１５ａを外から見えないように視覚的に遮蔽する。
【００７６】
このため、第三者が底蓋４２を取り外そうとしても、一見しただけでは底蓋４２がどのようにして筐体４に固定されているのか見分けがつかなくなる。したがって、ハードディスク駆動装置４１を盗もうとする第三者に対し、底蓋４２の取り外しが容易でないといった心証を与えて、ハードディスク駆動装置４１を盗もうとする気力を喪失させることができる。
【００７７】
この結果、ポータブルコンピュータ１の盗難を防止するためのロック装置２５を利用して、筐体４内に収容されたハードディスク駆動装置４１の盗難防止効果をより一層高めることができる。
【００７８】
図１３は、本発明の第３の実施の形態を開示している。
【００７９】
この第３の実施の形態は、第１の筐体要素５と第２の筐体要素６とを結合しているねじ７のうちの一本をカバー部材３３で覆い隠すようにした点が第１の実施の形態と相違しており、それ以外の構成は第１の実施の形態と同様である。
【００８０】
図１３に示すように、筐体４の内部にハードディスク駆動装置４１が収容されている。第１の筐体要素５の底壁４ａに、筐体４の内方に入り込むように屈曲された段差部５０が形成されている。段差部５０は、底壁４ａと平行なフランジ部５１を有し、このフランジ部５１の先端と底壁４ａとの間に、筐体４の内部に開口する隙間Ｇが形成されている。
【００８１】
第２の筐体要素６の上壁４ｂは、段差部５０に対応する位置にボス部５２を有している。ボス部５２は、上壁４ｂの内面から下向きに突出するとともに、その下端面が段差部５０のフランジ部５１に突き当たっている。
【００８２】
第１の筐体要素５と第２の筐体要素６とを結合するねじ７は、筐体４の底の方向からフランジ部５１を貫通してボス部５２にねじ込まれている。ねじ７は、ドライバのような工具が嵌合する頭部７ａを有している。頭部７ａは、フランジ部５１の下面に重なり合って、段差部５０に露出している。
【００８３】
筐体４内に収容されたカバー部材３３は、上記第１の実施の形態と同様に、図示しないロック装置を介して第２の位置から第１の位置に向けて回動操作される。これにより、カバー部材３３のブラインド部３５が筐体４の内部から隙間Ｇを通って段差部５０のフランジ部５１の下方に進出し、ねじ７の頭部７ａを覆い隠す。
【００８４】
このような第３の実施の形態によると、カバー部材３３のブラインド部３５が第１の筐体要素５と第２の筐体要素６との間を結合しているねじ７の頭部７ａを外から見えないように視覚的に遮蔽する。
【００８５】
このため、第三者がねじ７を取り外して筐体４を分解しようとしても、一見しただけではねじ７の存在を認識することができなくなる。したがって、筐体４を分解してハードディスク駆動装置４１を盗もうとする第三者に対し、筐体４の分解が容易でないといった心証を与えて、ハードディスク駆動装置４１を盗もうとする気力を喪失させることができる。
【００８６】
この結果、ポータブルコンピュータ１の盗難を防止するためのロック装置２５を利用して、筐体４の分解および筐体４内に収容されたハードディスク駆動装置４１の盗難防止効果をより一層高めることができる。
【００８７】
本発明に係る機器は、ポータブルコンピュータに特定されるものではなく、その他の電子機器や情報機器にも実施可能である。
【００８８】
さらに、筐体に収容される内蔵物にしてもメモリーカードやハードディスク駆動装置に限らず、例えば拡張基板であってもよい。
【産業上の利用可能性】
【００８９】
本発明は、筐体の内部に例えばメモリーカードのような内蔵物を収容し、かつロック装置の鉤が挿入可能なセキュリテイー用スロットを有する機器に適用することで、内蔵物の盗難および筐体の分解を防止することができる。
【符号の説明】
【００９０】
４…筐体、５…第１の筐体要素、６…第２の筐体要素、７，１５…固定具（ねじ）、７ａ，１５ａ…頭部、９，４３…開口部、１０，４１…内蔵物（メモリーカード、ハードディスク駆動装置）、１３，４２…蓋（メモリ蓋、底蓋）、２４…スロット、２５…ロック装置、２９…鉤、３３…カバー部材。
【図１】
2010271864.tif 000003
【図２】
2010271864.tif 000004
【図３】
2010271864.tif 000005
【図４】
2010271864.tif 000006
【図５】
2010271864.tif 000007
【図６】
2010271864.tif 000008
【図７】
2010271864.tif 000009
【図８】
2010271864.tif 000010
【図９】
2010271864.tif 000011
【図１０】
2010271864.tif 000012
【図１１】
2010271864.tif 000013
【図１２】
2010271864.tif 000014
【図１３】
2010271864.tif 000015
【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
盗難防止用ロック装置の鉤が挿入されるスロットおよび開口部を有する筐体と、
上記筐体に収容されるとともに、上記開口部から上記筐体の外に取り出し可能な内蔵物と、
上記筐体の開口部を塞ぐとともに、上記筐体に収容された上記内蔵物を覆う蓋と、
上記蓋を上記筐体に取り外し可能に固定するとともに、上記筐体の外に露出された頭部を有する固定具と、
上記筐体の内部に支持され、上記固定具の頭部を覆い隠す第１の位置と、上記固定具の頭部を露出させる第２の位置との間で移動可能なカバー部材と、を含み、
上記カバー部材は、上記筐体のスロットに挿入された上記鉤が上記筐体に引っ掛かる方向に回動された時に、上記鉤の回動に追従して上記第１の位置に移動されるとともに、上記ロック装置を介して上記第１の位置に保持されることを特徴とする機器。
【請求項２】
請求項１の記載において、上記カバー部材は、上記第１の位置に移動された時に、上記開口部から上記筐体の外に露出されていることを特徴とする機器。
【請求項３】
請求項２の記載において、上記カバー部材の通過を許容する隙間が上記開口部を規定する上記筐体の縁と上記蓋との間に形成されていることを特徴とする機器。
【請求項４】
請求項３の記載において、上記固定具は、複数のねじを含み、上記カバー部材は、上記第１の位置に保持された時に、少なくとも一つのねじの頭部を覆い隠すことを特徴とする機器。
【請求項５】
請求項２の記載において、上記カバー部材は、上記ロック装置の鉤が取り外し可能に嵌合する鉤孔を有することを特徴とする機器。
【請求項６】
請求項５の記載において、上記カバー部材の鉤孔は、上記カバー部材が上記第２の位置に移動された時に、上記スロットと合致することを特徴とする機器。
【請求項７】
請求項６の記載において、上記カバー部材は、上記第１の位置と上記第２の位置との間で回動可能に上記筐体に支持されているとともに、常に上記第２の位置に向けて弾性的に付勢されていることを特徴とする機器。
【請求項８】
請求項１の記載において、上記内蔵物は、記憶媒体であることを特徴とする機器。
【請求項９】
盗難防止用ロック装置の鉤が挿入されるスロットを有する筐体と、
上記筐体に収容された内蔵物と、を含み、
上記筐体は、
第１の筐体要素と、
上記第１の筐体要素に組み合された第２の筐体要素と、
上記第１の筐体要素と上記第２の筐体要素とを互いに結合するとともに、上記筐体の外に露出された頭部を有する固定具と、
上記固定具の頭部を覆い隠す第１の位置と、上記固定具の頭部を露出させる第２の位置との間で移動可能に上記筐体の内部に支持されたカバー部材と、を含み、
上記カバー部材は、上記筐体のスロットに挿入された上記鉤が上記筐体に引っ掛かる方向に回動された時に、上記鉤の回動に追従して上記第１の位置に移動されるとともに、上記ロック装置を介して上記第１の位置に保持されることを特徴とする機器。
【請求項１０】
請求項９の記載において、上記固定具は、複数のねじを含み、上記カバー部材は、上記第１の位置に保持された時に、少なくとも一つのねじの頭部を覆い隠すことを特徴とする機器。
【請求項１１】
請求項９の記載において、上記カバー部材は、上記ロック装置の鉤が取り外し可能に嵌合する鉤孔を有することを特徴とする機器。
【請求項１２】
請求項１１の記載において、上記カバー部材の鉤孔は、上記カバー部材が上記第２の位置に移動された時に、上記スロットと合致することを特徴とする機器。
【請求項１３】
請求項１２の記載において、上記カバー部材は、上記第１の位置と上記第２の位置との間で回動可能に上記筐体に支持されているとともに、常に上記第２の位置に向けて弾性的に付勢されていることを特徴とする機器。
【請求項１４】
盗難防止用ロック装置の鉤が挿入されるスロットおよび内蔵物を出し入れするための開口部を有する筐体と、上記筐体の開口部を塞ぐ蓋と、上記蓋を上記筐体に取り外し可能に固定するとともに上記筐体の外に露出された頭部を有する固定具と、上記固定具の頭部を覆い隠す第１の位置と、上記固定具の頭部を露出させる第２の位置との間で回動可能に上記筐体に支持されたカバー部材と、を含む機器を準備し、
上記内蔵物を上記開口部から上記筐体の内部に収容し、
上記開口部を上記蓋で塞ぐことにより、上記内蔵物を上記筐体の外から上記蓋で覆うとともに、上記蓋を上記固定具によって上記筐体に固定し、
上記筐体のスロットに上記ロック装置の鉤を挿入して回動させることにより、上記ロック装置を上記筐体に接続し、
上記カバー部材を上記鉤の回動に追従して上記第２の位置から上記第１の位置に回動させるとともに、上記ロック装置を介して上記カバー部材を上記第１の位置に保持することを特徴とする機器の盗難防止方法。
【請求項１５】
請求項１４の記載において、上記カバー部材は、常に上記第２の位置に向けて弾性的に付勢されているとともに、上記第２の位置では、上記カバー部材に形成した鉤孔が上記スロットと合致してこの鉤孔に上記ロック装置の鉤が取り外し可能に嵌合することを特徴とする機器の盗難防止方法。
【手続補正２】
【補正対象書類名】明細書
【補正対象項目名】００１８
【補正方法】変更
【補正の内容】
【００１８】
上記目的を達成するため、本発明の一つの形態に係る盗難防止構造を有する機器は、
盗難防止用ロック装置の鉤が挿入されるスロットおよび開口部を有する筐体と、
上記筐体に収容されるとともに、上記開口部から上記筐体の外に取り出し可能な内蔵物と、
上記筐体の開口部を塞ぐとともに、上記筐体に収容された上記内蔵物を覆う蓋と、
上記蓋を上記筐体に取り外し可能に固定するとともに、上記筐体の外に露出された頭部を有する固定具と、
上記筐体の内部に支持され、上記固定具の頭部を覆い隠す第１の位置と、上記固定具の頭部を露出させる第２の位置との間で移動可能なカバー部材と、を備えている。
上記カバー部材は、上記筐体のスロットに挿入された上記鉤が上記筐体に引っ掛かる方向に回動された時に、上記鉤の回動に追従して上記第１の位置に移動されるとともに、上記ロック装置を介して上記第１の位置に保持されることを特徴としている。
【手続補正３】
【補正対象書類名】明細書
【補正対象項目名】００１９
【補正方法】変更
【補正の内容】
【００１９】
上記目的を達成するため、本発明の他の形態に係る盗難防止構造を有する機器は、
盗難防止用ロック装置の鉤が挿入されるスロットを有する筐体と、この筐体に収容された内蔵物と、を備えている。
上記筐体は、(1)第１の筐体要素と、(2)上記第１の筐体要素に組み合された第２の筐体要素と、(3)上記第１の筐体要素と上記第２の筐体要素とを互いに結合するとともに、上記筐体の外に露出された頭部を有する固定具と、(4)上記固定具の頭部を覆い隠す第１の位置と、上記固定具の頭部を露出させる第２の位置との間で移動可能に上記筐体の内部に支持されたカバー部材と、を含んでいる。上記カバー部材は、上記筐体のスロットに挿入された上記鉤が上記筐体に引っ掛かる方向に回動された時に、上記鉤の回動に追従して上記第１の位置に移動されるとともに、上記ロック装置を介して上記第１の位置に保持されることを特徴としている。
【手続補正４】
【補正対象書類名】明細書
【補正対象項目名】００２０
【補正方法】変更
【補正の内容】
【００２０】
上記目的を達成するため、本発明の一つの形態に係る機器の盗難防止方法は、
盗難防止用ロック装置の鉤が挿入されるスロットおよび内蔵物を出し入れするための開口部を有する筐体と、上記筐体の開口部を塞ぐ蓋と、上記蓋を上記筐体に取り外し可能に固定するとともに上記筐体の外に露出された頭部を有する固定具と、上記固定具の頭部を覆い隠す第１の位置と、上記固定具の頭部を露出させる第２の位置との間で回動可能に上記筐体に支持されたカバー部材と、を含む機器を準備し、
上記内蔵物を上記開口部から上記筐体の内部に収容し、
上記開口部を上記蓋で塞ぐことにより、上記内蔵物を上記筐体の外から上記蓋で覆うとともに、上記蓋を上記固定具によって上記筐体に固定し、
上記筐体のスロットに上記ロック装置の鉤を挿入して回動させることにより、上記ロック装置を上記筐体に接続し、
上記カバー部材を上記鉤の回動に追従して上記第２の位置から上記第１の位置に回動させるとともに、上記ロック装置を介して上記カバー部材を上記第１の位置に保持することを特徴としている。
【手続補正５】
【補正対象書類名】明細書
【補正対象項目名】００２１
【補正方法】変更
【補正の内容】
【００２１】
本発明によれば、筐体から蓋を簡単に取り外したり、あるいは筐体を簡単に分解することができなくなり、筐体内に収容された内蔵物の盗難防止効果を高めることができる。
【手続補正６】
【補正対象書類名】明細書
【補正対象項目名】００７４
【補正方法】変更
【補正の内容】
【００７４】
筐体４内に収容されたカバー部材３３は、上記第１の実施の形態と同様に、ロック装置２５を筐体４に接続した後、ロック装置２５の鉤２９をロック位置に回動させることで、第２の位置から第１の位置に回動する。この回動により、カバー部材３３のブラインド部３５が筐体４の内部から底蓋４２の段差部４６の下方に進出し、ねじ１５の頭部１５ａを覆い隠す。